(57)【要約】      （修正有）【課題】見守られる人の適切な外出確認を実現する情報処理装置を提供する。【解決手段】通信部２１と、制御部２２とを備えた在宅判定システムの見守りサーバ２において、制御部は、通信部を介して、見守られる人による家電機器の利用状況を示すログ情報と、見守られる人のスケジュールを示すスケジュール情報とを取得し、ログ情報と、スケジュール情報とを参照して、見守られる人に通知する通知情報を決定する。【選択図】図２
2020077183.tif 000002
【特許請求の範囲】
【請求項１】
通信部と、制御部とを備えた情報処理装置であって、
上記制御部は、
上記通信部を介して、対象者による家電機器の利用状況を示すログ情報と、当該対象者のスケジュールを示すスケジュール情報とを取得し、
上記ログ情報と、上記スケジュール情報とを参照して、上記対象者に通知する通知情報を決定する
ことを特徴とする情報処理装置。
【請求項２】
上記制御部は、上記スケジュール情報が上記対象者は外出中であることを示し、かつ、上記ログ情報が上記対象者は当該家電機器を利用していないことを示す場合、上記対象者に通知する通知情報を作成しない、
ことを特徴とする請求項１に記載の情報処理装置。
【請求項３】
上記制御部は、上記スケジュール情報が上記対象者は外出中であることを示し、かつ、上記ログ情報が上記対象者は当該家電機器を利用していることを示す場合、上記対象者に外出予定を確認する通知情報を作成する、
ことを特徴とする請求項１または２に記載の情報処理装置。
【請求項４】
情報処理装置による情報処理方法であって、
対象者による家電機器の利用状況を示すログ情報と、当該対象者のスケジュールを示すスケジュール情報とを取得する取得ステップと、
上記ログ情報と、上記スケジュール情報とを参照して、上記対象者に通知する通知情報を決定する決定ステップと、
を含むことを特徴とする情報処理方法。
【請求項５】
情報処理装置としてコンピュータを機能させるためのプログラムであって、
対象者による家電機器の利用状況を示すログ情報と、当該対象者のスケジュールを示すスケジュール情報とを取得する取得ステップと、
上記ログ情報と、上記スケジュール情報とを参照して、上記対象者に通知する通知情報を決定する決定ステップと、
を上記コンピュータに実行させるためのプログラム。
【発明の詳細な説明】
【技術分野】
【０００１】
本発明は、情報処理装置、情報処理方法、および、プログラムに関する。
【背景技術】
【０００２】
従来の見守りシステムにおいては、見守られる人がテレビの画面でお出かけ設定をオンにする、または、見守り管理者が見守り一覧画面において、見守られる人のお出かけスケジュールを設定する。これにより、見守られる人のお出かけ設定がオンになっている時間帯には、テレビが閾値以上の時間オフになっていても、正常状態であると判断するので、見守り管理者には警告が行われない。
【０００３】
なお、特許文献１には、テレビの操作によって、お出かけ設定を行い、テレビの電源を切るとその時点でお出かけ状態がオンになる技術が開示されている。また、特許文献２には、見守り管理者が見守り一覧画面で見守られる人のお出かけ日程を入力する技術が開示されている。
【先行技術文献】
【特許文献】
【０００４】
【特許文献１】特開２０１４−０２１８５１号公報
【特許文献２】特開２０１７−０５４２０６号公報
【発明の概要】
【発明が解決しようとする課題】
【０００５】
ところで、見守られる人のお出かけ設定がオンになっている時間帯に、テレビが閾値以上の時間オンになっていると、異常状態であると判断するので、見守り管理者には警告が行われる。しかしながら、見守られる人がお出かけの予定を忘れている可能性もあるので、見守り管理者に警告するよりも、見守られる人に確認する方を優先すべきであるとも考えられる。
【０００６】
本発明の一態様は、適切な外出確認を実現することを目的とする。
【課題を解決するための手段】
【０００７】
上記の課題を解決するために、本発明の一態様に係る情報処理装置は、通信部と、制御部とを備えた情報処理装置であって、上記制御部が、上記通信部を介して、対象者による家電機器の利用状況を示すログ情報と、当該対象者のスケジュールを示すスケジュール情報とを取得し、上記ログ情報と、上記スケジュール情報とを参照して、上記対象者に通知する通知情報を決定する。
【０００８】
上記の課題を解決するために、本発明の一態様に係る情報処理方法は、情報処理装置による情報処理方法であって、対象者による家電機器の利用状況を示すログ情報と、当該対象者のスケジュールを示すスケジュール情報とを取得する取得ステップと、上記ログ情報と、上記スケジュール情報とを参照して、上記対象者に通知する通知情報を決定する決定ステップと、を含む。
【０００９】
上記の課題を解決するために、本発明の一態様に係るプログラムは、情報処理装置としてコンピュータを機能させるためのプログラムであって、対象者による家電機器の利用状況を示すログ情報と、当該対象者のスケジュールを示すスケジュール情報とを取得する取得ステップと、上記ログ情報と、上記スケジュール情報とを参照して、上記対象者に通知する通知情報を決定する決定ステップと、を上記コンピュータに実行させるためのプログラムである。
【発明の効果】
【００１０】
本発明の一態様によれば、適切な外出確認を実現することができる。
【図面の簡単な説明】
【００１１】
【図１】本発明の実施形態１に係る在宅判定システムの構成を示す図である。
【図２】本発明の実施形態１に係る見守りサーバの構成を示すブロック図である。
【図３】本発明の実施形態１に係る在宅判定システムの処理を示すシーケンス図である。
【図４】本発明の実施形態１に係る在宅判定システムの処理の一例を示す図である。
【図５】本発明の実施形態５に係る見守りサーバとして利用可能なコンピュータの構成を例示したブロック図である。
【発明を実施するための形態】
【００１２】
〔実施形態１〕
以下、本発明の実施形態１について、詳細に説明する。
【００１３】
（在宅判定システム１）
図１は、本実施形態に係る在宅判定システム１の構成を示す図である。在宅判定システム１では、見守られる人（対象者）のスケジュール管理と、カレンダーアプリとを連携させており、見守られる人がカレンダーアプリにスケジュールを入力するとスケジュール管理に反映される。そして、在宅判定システム１は、カレンダーのスケジュールがお出かけの予定であるのに、テレビ等の家電機器のログが上がってきている場合には、見守られる人に外出予定を確認するための通知を行う。
【００１４】
ここで、「見守られる人」とは、独居の高齢者等、見守る必要のある人のことをいう。「見守る人」とは、見守られる人の親族等関係者、自治体の職員や地区の民生委員等、見守られる人を管理する見守り管理者のことをいう。
【００１５】
在宅判定システム１は、家電機器のログにより見守られる人が在宅中か否かを判定し、その判定結果と、見守られる人が入力したスケジュールのお出かけの予定とを照合して、その照合結果に応じて、見守られる人に外出予定の確認を行うシステムである。図１に示すように、在宅判定システム１は、見守りサーバ（情報処理装置）２、家電機器３、スケジュールサーバ４、および、端末５がネットワーク６を介して互いに通信可能に接続されて構成される。
【００１６】
見守りサーバ２は、家電機器３から見守られる人による当該家電機器３の利用状況を示すログ情報を取得し、スケジュールサーバ４から当該見守られる人のスケジュールを示すスケジュール情報を取得し、当該ログ情報と、当該スケジュール情報とを参照して、見守られる人を見守る人の端末５に通知情報を送信する。
【００１７】
家電機器３は、見守られる人が利用する家電機器であり、例えば、テレビ、ラジオ、照明機器等である。家電機器３については、見守られる人毎に少なくとも１台の家電機器が在宅判定システム１に適用される。なお、ここでいう家電機器３は、電源オン状態が利用者の在宅を示すものが望ましい。
【００１８】
スケジュールサーバ４は、カレンダーおよび見守られる人の外出予定を含むカレンダーデータ４１を管理する装置である。スケジュールサーバ４は、カレンダーアプリがインストールされた端末（例えば、ＰＣ、スマートフォン、タブレット端末等）と連動し、見守られる人が端末のカレンダーアプリにイベントを入力すると、カレンダーデータ４１に、当該見守られる人のイベントと、当該イベントが外出予定であるか否かを反映させる。この場合、スケジュールサーバ４は、入力されたイベントが外出予定であるか否かを判定して、外出予定であるときに、当該イベントが外出予定である旨を示すフラグを、当該イベントに関連付けて設定する。
【００１９】
端末５は、見守られる人が携帯する端末であり、例えば、スマートフォン、タブレット端末等である。端末５については、見守られる人毎に少なくとも１台の端末が在宅判定システム１に適用される。ネットワーク６は、インターネット等の通信網である。
【００２０】
（見守りサーバ２）
図２は、本実施形態に係る見守りサーバ２の構成を示すブロック図である。図２に示すように、見守りサーバ２は、通信部２１、制御部２２、および、記憶部２３を備えている。なお、見守りサーバ２は、通信部２１および制御部２２をそれぞれ複数備えていてもよい。
【００２１】
通信部２１は、ネットワーク６に接続され、家電機器３、スケジュールサーバ４、および、端末５との間でネットワーク６を介して通信を行う。
【００２２】
制御部２２は、図２に示すように、ログ取得部２２１、スケジュール取得部２２２、通知決定部２２３、および、通知送信部２２４として機能する。ログ取得部２２１は、家電機器３から通信部２１を介して、見守られる人による家電機器３の利用状況を示すログ情報を取得する。スケジュール取得部２２２は、スケジュールサーバ４から通信部２１を介して、見守られる人のスケジュールを示すスケジュール情報を取得する。
【００２３】
通知決定部２２３は、ログ取得部２２１が取得したログ情報と、スケジュール取得部２２２が取得したスケジュール情報とを参照して、見守られる人に通知する通知情報を決定する。通知送信部２２４は、通知決定部２２３が決定した通知情報を、通信部２１を介して、端末５に送信する。
【００２４】
記憶部２３は、制御部２２による制御を受けて、データの記憶および読み出しを行うものである。記憶部２３には、家電機器３の機器識別情報と、見守られる人の個人識別情報と、端末５の端末識別情報とがテーブル等により関連付けられたデータベースが予め記憶される。記憶部２３は、例えば、ＨＤＤ（Hard Disk Drive）、ＳＳＤ（Solid State Drive）等により構成される。
【００２５】
（在宅判定システム１の処理）
図３は、本実施形態に係る在宅判定システム１の処理（情報処理方法）を示すシーケンス図である。
【００２６】
（ステップＳ３０１）
家電機器３は、当該家電機器３の利用状況を示すログ情報を見守りサーバ２に送信する。ログ情報は、例えば、機器識別情報、電源オン時刻、電源オフ時刻、所定時間（例えば、２４時間等）以上電源オン状態、所定時間以上電源オフ状態等を含む。
【００２７】
（ステップＳ３０２：取得ステップ）
見守りサーバ２において、制御部２２のログ取得部２２１は、通信部２１を介して家電機器３からログ情報を受信し、記憶部２３に記憶させる。ログ情報には、機器識別情報、電源オン時刻、電源オフ時刻等が含まれる。
【００２８】
機器識別情報は、家電機器３に固有の情報であり、記憶部２３のデータベースにおいて、見守られる人の個人識別情報に関連付けられる。電源オン時刻は、家電機器３の電源がオンになった時刻である。電源オフ時刻は、家電機器３の電源がオフになった時刻である。従って、制御部２２は、電源オン時刻から電源オフ時刻までの間、見守られる人が当該家電機器３を利用していたことを特定する。また、制御部２２は、電源オン時刻から電源オフ時刻までの時間を、当該家電機器３の利用時間として特定する。
【００２９】
（ステップＳ３０３）
スケジュールサーバ４は、カレンダーアプリの利用者の外出予定を含むカレンダーデータ４１を保持している。スケジュールサーバ４は、見守られる人のカレンダーデータ４１のうち、外出予定のフラグが設定されたデータを常時監視しており、もうすぐ外出予定時間が開始するか（例えば、外出予定時刻の１５分前か）否かを判定する。もうすぐ外出予定時間が開始することを示すカレンダーデータ４１がある場合（ステップＳ３０３のＹＥＳ）、スケジュールサーバ４は、ステップＳ３０４の処理を実行する。もうすぐ外出予定時間が開始することを示すカレンダーデータ４１がない場合（ステップＳ３０３のＮＯ）、スケジュールサーバ４は、ステップＳ３０３の判定を繰り返す。
【００３０】
（ステップＳ３０４）
スケジュールサーバ４は、見守られる人が外出予定であることを示すスケジュール情報を見守りサーバ２に送信する。この場合、スケジュールサーバ４は、見守られる人の個人識別情報を含むスケジュール情報を見守りサーバ２に送信する。
【００３１】
なお、見守りサーバ２は、スケジュールサーバ４に対して、定期的に（例えば、毎正時に）直近の（例えば、１時間以内の）外出予定を問合せてもよいし、毎日０時前後に当日の外出予定を一括して問合せてもよい。
【００３２】
（ステップＳ３０５：取得ステップ）
見守りサーバ２において、制御部２２のスケジュール取得部２２２は、通信部２１を介してスケジュールサーバ４からスケジュール情報を受信し、記憶部２３に記憶させる。スケジュール情報には、見守られる人の外出予定、個人識別情報等が含まれる。現在時刻が外出予定時間帯に含まれている場合、当該スケジュール情報は、見守られる人が外出中であることを示す。一方、現在時刻が外出予定時間帯に含まれていない場合、当該スケジュール情報は、見守られる人が外出中でない、すなわち、在宅であることを示す。なお、見守りサーバ２は、スケジュールサーバ４ではなく、カレンダーアプリがインストールされた端末からスケジュール情報を受信してもよい。
【００３３】
（ステップＳ３０６）
見守りサーバ２において、制御部２２の通知決定部２２３は、外出予定の見守られる人が在宅であると認識されるログ情報があるか否かを判定する。詳細には、通知決定部２２３は、ステップＳ３０５で受信したスケジュール情報が見守られる人は外出中であることを示し、かつ、ステップＳ３０２で記憶部２３に記憶されたログ情報が見守られる人は当該家電機器３を利用していることを示すか否かを判定する。この場合、通知決定部２２３は、記憶部２３のデータベースにおいて、スケジュール情報に含まれる個人識別情報に関連付けられた機器識別情報を含むログ情報を特定して、当該ログ情報に関して上記の判定を行う。
【００３４】
外出予定の見守られる人が在宅であると認識されるログ情報がある場合（ステップＳ３０６のＹＥＳ）、制御部２２はステップＳ３０７の処理を実行する。外出予定の見守られる人が在宅であると認識されるログ情報がない場合（ステップＳ３０６のＮＯ）、制御部２２はステップＳ３１０の処理を実行する。
【００３５】
（ステップＳ３０７：決定ステップ）
見守りサーバ２において、制御部２２の通知決定部２２３は、スケジュール情報が見守られる人は外出中であることを示し、かつ、ログ情報が見守られる人は家電機器３を利用していることを示す場合、見守られる人が外出予定なのに在宅を示すので、見守られる人に外出予定を確認する通知情報を作成する。例えば、見守られる人が外出予定を忘れている可能性がある。
【００３６】
そして、通知送信部２２４は、通信部２１を介して、当該通知情報を端末５に送信する。通知情報の送信に必要である、端末５のＩＰアドレス、見守られる人のメールアドレス等を含む端末識別情報は、記憶部２３のデータベースにおいて、見守られる人の個人識別情報から関連付けられる。
【００３７】
（ステップＳ３０８）
端末５は、見守りサーバ２から見守られる人に外出予定を確認する通知情報を受信する。
【００３８】
（ステップＳ３０９）
端末５は、見守られる人に外出予定を確認する通知情報を表示する。
【００３９】
なお、事前と、事後とで通知情報を変えてもよい。見守られる人の外出予定時刻が迫っている場合に、見守られる人が在宅と認識されるログ情報があったときには、端末５は、見守られる人に外出時刻が迫っていることを表示する。一方、見守られる人の外出予定時刻が過ぎて所定時間が経過した場合に、見守られる人が在宅と認識されるログ情報があったときには、端末５は、見守られる人に外出予定の時間帯なのに在宅していることを表示する。
【００４０】
例えば、通院のスケジュールの１０分前になっても、独居老人（見守られる人）のテレビがオン状態になっている場合には、当該独居老人の端末５は、当該独居老人に通院予定を確認する旨の通知情報を表示する。なお、テレビが当該通知情報を表示してもよい。例えば、「通院のスケジュールの１０分前です。準備はできましたか？」と表示してもよい。独居老人は、端末５を見て、通知情報に対する返信を行って、自分の安否を連絡する。
【００４１】
なお、見守りサーバ２は、見守られる人の端末５から、所定時間以内に通知情報に対する応答を受信しない場合に、見守る人の端末に見守られる人は異常な状態であることを示す通知情報を送信してもよい。見守られる人の端末５から応答を受信しないということは、見守られる人が自宅で倒れている可能性があるからである。なお、見守る人の端末の識別情報は、記憶部２３のデータベースにおいて、見守られる人の端末５の識別情報から関連付けられている。
【００４２】
（ステップＳ３１０：決定ステップ）
見守りサーバ２において、制御部２２の通知決定部２２３は、スケジュール情報が見守られる人は外出中であることを示し、かつ、ログ情報が見守られる人は家電機器３を利用していないことを示す場合、見守られる人が外出予定で不在を示すので、見守られる人に通知する通知情報を作成しない。従って、通知送信部２２４は、端末５に何も通知情報を送信しない。
【００４３】
なお、通知決定部２２３は見守られる人に問題ないことを確認する通知情報を決定し、通知送信部２２４は、当該通知情報を端末５に送信してもよい。
【００４４】
（実施例）
図４は、本実施形態に係る在宅判定システム１の処理の一例を示す図である。見守りサーバ２は、スケジュールサーバ４から見守られる人のカレンダーデータ４１をスケジュール情報として受信する。カレンダーデータ４１は、９月１５日午前９：００から９月１６日午後８：００までの間、見守られる人が温泉旅行に出かけることを示す。
【００４５】
ケースＡでは、見守りサーバ２は、家電機器３が９月１５日午前９：００から２４時間電源オフ状態であることを示すログ情報を受信する。この場合、見守りサーバ２は、家電機器３が２４時間電源オフ状態であっても、その間は見守られる人がお出かけの予定なので、見守られる人に通知する通知情報を作成しない。従って、端末５は、見守られる人に関する情報を表示しない。なお、家電機器３が電源オフ状態であるため、見守りサーバ２が当該家電機器３から稼動状態を示すログ情報を所定時間以上受信しない場合にも、その間は見守られる人がお出かけの予定であるときには、見守られる人に通知する通知情報を作成しない。
【００４６】
ケースＢでは、見守りサーバ２は、家電機器３が９月１５日午前１０：００に電源オン状態になったことを示すログ情報を受信する。この場合、見守りサーバ２は、見守られる人がお出かけの予定なのに、家電機器３が電源オンになっているので、見守られる人に外出予定を確認する通知情報を作成する。この場合、例えば、見守られる人が外出予定を忘れている可能性がある。従って、端末５は、「○○さん、外出予定を忘れていませんか。」と表示する。
【００４７】
このように、本実施形態における見守りサーバ２では、通信部２１と、制御部２２とを備えており、制御部２２が、通信部２１を介して、見守られる人による家電機器３の利用状況を示すログ情報と、見守られる人のスケジュールを示すスケジュール情報とを取得し、ログ情報と、スケジュール情報とを参照して、見守られる人に通知する通知情報を決定する。そのため、見守られる人が自分のスケジュールを入力するだけでよく、見守られる人がテレビにお出かけ設定をする必要はないし、見守る人がお出かけのスケジュールを設定する必要もない。従って、見守られる人の外出予定を確実に把握できるので、適切な外出確認を実現することができる。
【００４８】
また、本実施形態における見守りサーバ２では、制御部２２が、スケジュール情報が見守られる人は外出中であることを示し、かつ、ログ情報が見守られる人は家電機器３を利用していないことを示す場合、見守られる人に通知する通知情報を作成しない。そのため、見守られる人への無用な通知を回避することができる。
【００４９】
また、本実施形態における見守りサーバ２では、制御部２２が、スケジュール情報が見守られる人は外出中であることを示し、かつ、ログ情報が見守られる人は家電機器３を利用していることを示す場合、見守られる人に外出予定を確認する通知情報を作成する。そのため、見守られる人に外出予定を確認する通知を行うことができる。
【００５０】
なお、見守られる人（対象者）は、高齢者等の見守る必要のある人だけでなく、高齢ではない健常者であってもよい。
【００５１】
〔実施形態２〕
本発明の実施形態２について、以下に説明する。なお、説明の便宜上、実施形態１にて説明した部材と同じ機能を有する部材については、同じ符号を付記し、その説明を繰り返さない。
【００５２】
在宅判定システム１のスケジュールサーバ４は、以下の各基準により、カレンダーアプリに入力されたイベントが外出予定であるか否かを判定してもよい。以下は、基準の一例を示すものであり、複数の基準を組合せてもよいし、他の基準で判定してもよい。
（１）カレンダーのイベントは外出予定とみなす。すなわち、入力されるイベントは外出を伴うものであると認識する。
（２）カレンダーのイベントのうち、場所の項目に何等かの入力が行われたものは外出予定であるとみなす。逆に言えば、場所の項目に自宅を入力することはないと認識する。
（３）カレンダーのイベントに外出予定のチェックボックスを付加して、チェックが付いていれば外出予定であるとみなす。
（４）カレンダーのイベントのうち、タイトルの項目に場所が含まれているものは外出予定であるとみなす。例えば、「○○温泉に旅行」というタイトルがあれば、外出予定であるとみなす。
（５）イベントの内容がお出かけであると推測される内容になっていれば、外出予定であるとみなす。例えば、「通院」、「旅行」という内容であれば、外出予定であるとみなす。
【００５３】
〔実施形態３〕
本発明の実施形態３について、以下に説明する。なお、説明の便宜上、実施形態１にて説明した部材と同じ機能を有する部材については、同じ符号を付記し、その説明を繰り返さない。
【００５４】
在宅判定システム１の見守りサーバ２は、以下の基準により、通知情報を送信する対象イベントおよび通知先を限定してもよい。
（１）対象イベントおよび通知先を限定しない。
（２）特定のイベントに限定して通知する。例えば、見守られる人がカレンダーアプリにイベントを入力する際に、当該イベントに「要通知」、「重要」等のフラグを設定可能とし、当該フラグを参照する。また、イベント名に特定のキーワード（例えば、「通院」、「旅行」等）が含まれていたら「要通知」と判定する。また、イベントのうち、時間が長いものに関しては要通知と判定する。
（３）特定の通知先に限定して通知する。例えば、見守られる人がカレンダーアプリにイベントを入力する際に、通知先の一覧およびチェックボックスを表示して、通知先を選択可能とする。また、イベントの名称から関係する人を判断して通知する。例えば、「通院」であれば病院関係者を通知先とし、「家族旅行」であれば家族を通知先とし、「地区の会合」であれば民生委員を通知先とする。
【００５５】
なお、上記では、見守りに関する実施形態１〜３を説明したが、本発明の実施形態は、それ以外の用途に適用してもよい。例えば、高齢者等の見守り目的ではなく、高齢ではない健常者に対して、外出予定があるのに在宅の場合に外出予定を確認するのに適用してもよい。
【００５６】
〔実施形態４〕
上記各実施形態では、１つの見守りサーバ２を用いる例を説明したが、見守りサーバ２の有する各機能が、個別のサーバにて実現されていてもよい。そして、複数のサーバを適用する場合においては、各サーバは、同じ事業者によって管理されていてもよいし、異なる事業者によって管理されていてもよい。
【００５７】
〔実施形態５〕
見守りサーバ２の各ブロックは、集積回路（ＩＣチップ）等に形成された論理回路（ハードウェア）によって実現してもよいし、ソフトウェアによって実現してもよい。後者の場合、見守りサーバ２のそれぞれを、図５に示すようなコンピュータ（電子計算機）を用いて構成することができる。
【００５８】
図５は、見守りサーバ２として利用可能なコンピュータ９１０の構成を例示したブロック図である。コンピュータ９１０は、バス９１１を介して互いに接続された演算装置９１２と、主記憶装置９１３と、補助記憶装置９１４と、入出力インターフェース９１５と、通信インターフェース９１６とを備えている。演算装置９１２、主記憶装置９１３、および補助記憶装置９１４は、それぞれ、例えばプロセッサ（例えばＣＰＵ：Central Processing Unit等）、ＲＡＭ（random access memory）、ハードディスクドライブであってもよい。入出力インターフェース９１５には、ユーザがコンピュータ９１０に各種情報を入力するための入力装置９２０、および、コンピュータ９１０がユーザに各種情報を出力するための出力装置９３０が接続される。入力装置９２０および出力装置９３０は、コンピュータ９１０に内蔵されたものであってもよいし、コンピュータ９１０に接続された（外付けされた）ものであってもよい。例えば、入力装置９２０は、キーボード、マウス、タッチセンサなどであってもよく、出力装置９３０は、ディスプレイ、プリンタ、スピーカなどであってもよい。また、タッチセンサとディスプレイとが一体化されたタッチパネルのような、入力装置９２０および出力装置９３０の双方の機能を有する装置を適用してもよい。そして、通信インターフェース９１６は、コンピュータ９１０が外部の装置と通信するためのインターフェースである。
【００５９】
補助記憶装置９１４には、コンピュータ９１０を見守りサーバ２として動作させるための各種のプログラムが格納されている。そして、演算装置９１２は、補助記憶装置９１４に格納された上記プログラムを主記憶装置９１３上に展開して該プログラムに含まれる命令を実行することによって、コンピュータ９１０を、見守りサーバ２が備える各部として機能させる。なお、補助記憶装置９１４が備える、プログラム等の情報を記録する記録媒体は、コンピュータ読み取り可能な「一時的でない有形の媒体」であればよく、例えば、テープ、ディスク、カード、半導体メモリ、プログラマブル論理回路などであってもよい。また、記録媒体に記録されているプログラムを、主記憶装置９１３上に展開することなく実行可能なコンピュータであれば、主記憶装置９１３を省略してもよい。なお、上記各装置（演算装置９１２、主記憶装置９１３、補助記憶装置９１４、入出力インターフェース９１５、通信インターフェース９１６、入力装置９２０、および出力装置９３０）は、それぞれ１つであってもよいし、複数であってもよい。
【００６０】
また、上記プログラムは、コンピュータ９１０の外部から取得してもよく、この場合、任意の伝送媒体（通信ネットワークや放送波等）を介して取得してもよい。そして、本発明は、上記プログラムが電子的な伝送によって具現化された、搬送波に埋め込まれたデータ信号の形態でも実現され得る。
【００６１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００６２】
１  在宅判定システム
２  見守りサーバ（情報処理装置）
２１  通信部
２２  制御部
３  家電機器
【図１】
2020077183.tif 000003
【図２】
2020077183.tif 000004
【図３】
2020077183.tif 000005
【図４】
2020077183.tif 000006
【図５】
2020077183.tif 000007